(57)【要約】【課題】上り制御情報を送信可能なセカンダリセルがユーザ装置に設定される場合に、基地局が当該セカンダリセルでの上りスケジューリングを早期に開始することを可能とする技術を提供する。【解決手段】上り制御情報を送信可能なセカンダリセルと、プライマリセルとを含むキャリアアグリゲーションをサポートする移動通信システムにおいて基地局と通信を行うユーザ装置において、前記基地局から、前記セカンダリセルに対するアクティブ化指示を受信した後に、当該セカンダリセルにおける上り制御情報の種別を判定する判定部と、前記上り制御情報がチャネル状態情報であると判定された場合に、当該チャネル状態情報を前記プライマリセルで送信し、前記上り制御情報が送達確認情報であると判定された場合に、当該送達確認情報を前記セカンダリセルで送信する送信部とを備える。【選択図】図８
2016149732.tif 000002
【特許請求の範囲】
【請求項１】
上り制御情報を送信可能なセカンダリセルと、プライマリセルとを含むキャリアアグリゲーションをサポートする移動通信システムにおいて基地局と通信を行うユーザ装置であって、
前記基地局から、前記セカンダリセルに対するアクティブ化指示を受信した後に、当該セカンダリセルにおける上り制御情報の種別を判定する判定部と、
前記上り制御情報がチャネル状態情報であると判定された場合に、当該チャネル状態情報を前記プライマリセルで送信し、前記上り制御情報が送達確認情報であると判定された場合に、当該送達確認情報を前記セカンダリセルで送信する送信部と
を備えるユーザ装置。
【請求項２】
前記上り制御情報にチャネル状態情報と送達確認情報が含まれると判定された場合に、前記送信部は、当該チャネル状態情報と当該送達確認情報とを前記プライマリセルで送信する
請求項１に記載のユーザ装置。
【請求項３】
前記上り制御情報にチャネル状態情報と送達確認情報が含まれると判定された場合に、前記送信部は、当該チャネル状態情報と当該送達確認情報とを前記セカンダリセルで送信する
請求項１に記載のユーザ装置。
【請求項４】
上り制御情報を送信可能なセカンダリセルと、プライマリセルとを含むキャリアアグリゲーションをサポートする移動通信システムにおいて基地局と通信を行うユーザ装置であって、
前記基地局から、前記セカンダリセルに対するアクティブ化指示を受信した場合に、当該セカンダリセルにおける上り制御情報を前記セカンダリセルと前記プライマリセルの両方で送信する送信制御部を備え、
前記送信制御部は、前記アクティブ化指示に基づく前記セカンダリセルのアクティブ化が完了した後に、前記プライマリセルでの前記セカンダリセルにおける上り制御情報の送信を停止する
ユーザ装置。
【請求項５】
上り制御情報を送信可能なセカンダリセルと、プライマリセルとを含むキャリアアグリゲーションをサポートする移動通信システムにおいて基地局と通信を行うユーザ装置であって、
前記基地局から、前記セカンダリセルに対するアクティブ化指示を受信し、更に、個別プリアンブルを含むランダムアクセス指示を受信した場合に、当該個別プリアンブルを用いて当該セカンダリセルで非衝突型ランダムアクセス手順を実行するランダムアクセス手順制御部と、
前記非衝突型ランダムアクセス手順が完了した後に、前記セカンダリセルにおける上り制御情報を当該セカンダリセルで前記基地局に送信する送信部と
を備えるユーザ装置。
【請求項６】
上り制御情報を送信可能なセカンダリセルと、プライマリセルとを含むキャリアアグリゲーションをサポートする移動通信システムにおいて基地局と通信を行うユーザ装置であって、
前記ユーザ装置に設定された前記セカンダリセルがｓＴＡＧに属する場合に、前記基地局から当該セカンダリセルに対するアクティブ化指示を受信した後、ランダムアクセス手順を実行することなく、前記ｓＴＡＧに対するＴＡタイマを起動する上り送信制御部と、
前記ＴＡタイマの起動中に、前記セカンダリセルにおける上り制御情報を当該セカンダリセルで送信する送信部と
を備えるユーザ装置。
【請求項７】
前記ユーザ装置が前記基地局からＴＡタイマ自律起動の指示を受信している場合に、前記上り送信制御部は、前記ランダムアクセス手順を実行することなく、前記ＴＡタイマの起動を行う
請求項６に記載のユーザ装置。
【請求項８】
上り制御情報を送信可能なセカンダリセルと、プライマリセルとを含むキャリアアグリゲーションをサポートする移動通信システムにおいて基地局と通信を行うユーザ装置が実行する上り制御情報送信方法であって、
前記基地局から、前記セカンダリセルに対するアクティブ化指示を受信した後に、当該セカンダリセルにおける上り制御情報の種別を判定するステップと、
前記上り制御情報がチャネル状態情報であると判定された場合に、当該チャネル状態情報を前記プライマリセルで送信し、前記上り制御情報が送達確認情報であると判定された場合に、当該送達確認情報を前記セカンダリセルで送信するステップと
を備える上り制御情報送信方法。
【請求項９】
上り制御情報を送信可能なセカンダリセルと、プライマリセルとを含むキャリアアグリゲーションをサポートする移動通信システムにおいて基地局と通信を行うユーザ装置が実行する上り制御情報送信方法であって、
前記基地局から、前記セカンダリセルに対するアクティブ化指示を受信し、更に、個別プリアンブルを含むランダムアクセス指示を受信した場合に、当該個別プリアンブルを用いて当該セカンダリセルで非衝突型ランダムアクセス手順を実行するステップと、
前記非衝突型ランダムアクセス手順が完了した後に、前記セカンダリセルにおける上り制御情報を当該セカンダリセルで前記基地局に送信するステップと
を備える上り制御情報送信方法。
【請求項１０】
上り制御情報を送信可能なセカンダリセルと、プライマリセルとを含むキャリアアグリゲーションをサポートする移動通信システムにおいて基地局と通信を行うユーザ装置が実行する上り制御情報送信方法であって、
前記ユーザ装置に設定された前記セカンダリセルがｓＴＡＧに属する場合に、前記基地局から当該セカンダリセルに対するアクティブ化指示を受信した後、ランダムアクセス手順を実行することなく、前記ｓＴＡＧに対するＴＡタイマを起動するステップと、
前記ＴＡタイマの起動中に、前記セカンダリセルにおける上り制御情報を当該セカンダリセルで送信するステップと
を備える上り制御情報送信方法。
【発明の詳細な説明】
【技術分野】
【０００１】
本発明は、ＬＴＥ等の移動通信システムにおけるユーザ装置の上り通信方法に関連するものである。
【背景技術】
【０００２】
背景技術としてまずキャリアアグリゲーションについて説明する。ＬＴＥシステムでは、所定の帯域幅を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている（非特許文献１）。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
次の背景技術としてＴｉｍｉｎｇ  Ａｄｖａｎｃｅ（ＴＡ）制御について説明する。基地局ｅＮＢ側では、複数のユーザ装置ＵＥからばらばらに送信されてくる上り（ＵＬ）信号に対し、まとめてＦＦＴ処理を行い、復調処理を行う。
【０００６】
しかし、各ユーザ装置ＵＥにおける伝搬遅延は、ユーザ装置ＵＥのロケーションや移動速度によって異なるため、各ユーザ装置ＵＥがＤＬ受信タイミングでＵＬ送信を行うと、基地局ｅＮＢにおけるＵＬ受信タイミングが揃わず、所望のタイミングでＦＦＴ処理を行うことができない。例えば、図１に示すようにＵＥ１とＵＥ２がＵＬ送信を行う例において、図２に示すように、ＵＥ１とＵＥ２が同じタイミングでＵＬ送信をした場合、基地局ｅＮＢ側でのＤＬ受信タイミングがずれてしまい、ユーザ間干渉が発生する。
【０００７】
そこで、ＬＴＥでは、各ＵＥの伝搬遅延差を吸収し、ＵＬ信号受信タイミングを合わせるためにＴｉｍｉｎｇ  Ａｄｖａｎｃｅ（ＴＡ）制御が採用されている。具体的には、基地局ｅＮＢにおける、各ＵＥからのＵＬ信号の受信タイミングが揃うように、基地局ｅＮＢからＵＥ毎の調整値を指示し、ＵＬ送信タイミングを調整している。このような調整により、例えば図３に示すように、ＵＥ１よりも基地局ｅＮＢから遠方にあるＵＥ２のほうがＵＬ送信タイミングが早くなる。
【０００８】
次に、背景技術として、Ｍｕｌｔｉｐｌｅ  Ｔｉｍｉｎｇ  Ａｄｖａｎｃｅｓ  （ＭＴＡ）を説明する。異周波のセルでＵＬ  ＣＡを行う場合（Ｉｎｔｅｒ−ｂａｎｄ  ＣＡ）には、セル毎に無線特性（遅延特性や減衰特性）が異なるため、異なる無線特性を持つセルに対しては、それぞれに応じたＴＡ制御を行う必要がある。そこで、ＬＴＥ−ａｄｖａｎｃｅｄ（Ｒｅｌ−１１）では、Ｉｎｔｅｒ−ｂａｎｄ  ＣＡを行う際にＰＣｅｌｌとＳＣｅｌｌを、無線特性が同等な群（Ｔｉｍｉｎｇ  Ａｄｖａｎｃｅ  ｇｒｏｕｐ：ＴＡＧ）にグルーピングしてそれぞれでＴＡ制御を行う仕組みが導入されている。図４にＴＡＧの例を示す。図４の例では、バンドＡにおけるＰＣｅｌｌとＳＣｅｌｌがＴＡＧ＃Ａとしてグルーピングされ、バンドＢにおける２つのＳＣｅｌｌがＴＡＧ＃Ｂとしてグルーピングされている。なお、ＰＣｅｌｌが含まれるＴＡＧをｐＴＡＧ（ｐｒｉｍａｒｙ  ＴＡＧ）と呼び、ＳＣｅｌｌのみで構成されるＴＡＧをｓＴＡＧ（ｓｅｃｏｎｄａｒｙ  ＴＡＧ）と呼ぶ。
【０００９】
ＭＴＡ制御において、ＴＡＧとＳＣｅｌｌのマッピング（変更も含めて）は、ＲＲＣレイヤで行われる。また、ＴＡＧ内のセル群（ＰＣｅｌｌ／ＳＣｅｌｌ）は、ＴＡ値（ＵＬ送信タイミング）、Ｔｉｍｅ  Ａｌｉｇｎｍｅｎｔ  Ｔｉｍｅｒの値（ＴＡタイマの値）、ＤＬ  ｔｉｍｉｎｇ  ｒｅｆｅｒｅｎｃｅ  ｃｅｌｌを共有する。ＴＡタイマは、ＵＥがＵＬ同期か非同期かを判定するタイマであり、ＴＡタイマ起動中は、ＵＬ同期中であると判断できる。ＤＬ  ｔｉｍｉｎｇ  ｒｅｆｅｒｅｎｃｅ  ｃｅｌｌは、ＵＥがＵＬ送信タイミングを決定するために参照するセルであり、当該セルのＤＬ受信タイミングによりＵＬ送信タイミングを決定する。
【先行技術文献】
【非特許文献】
【００１０】
【非特許文献１】３ＧＰＰ  ＴＳ  ３６．３００  Ｖ１２．４．０  （２０１４−１２）
【非特許文献２】３ＧＰＰ  ＴＳ  ３６．３２１  Ｖ１２．４．０  （２０１４−１２）
【非特許文献３】３ＧＰＰ  ＴＳ  ３６．３３１  Ｖ１２．４．１  （２０１４−１２）
【発明の概要】
【発明が解決しようとする課題】
【００１１】
ＬＴＥにおけるユーザ装置ＵＥは、ＰＵＣＣＨ（Ｐｈｙｓｉｃａｌ  Ｕｐｌｉｎｋ  Ｃｏｎｔｒｏｌ  Ｃｈａｎｎｅｌ：物理上り制御チャネル）を用いて、ＰＤＳＣＨに対するＡＣＫ／ＮＡＣＫ（送達確認情報）や下りリンクの受信品質等（ＣＳＩ：チャネル状態情報）の上り制御情報（ＵＣＩ：Ｕｐｌｉｎｋ  Ｃｏｎｔｒｏｌ  Ｉｎｆｏｒｍａｔｉｏｎ）を送信する。図５（ａ）に示すように、Ｒｅｌ−１２までのＣＡでは、ユーザ装置ＵＥは、ＰＣｅｌｌでしかＰＵＣＣＨを送信することはできなかったが、図５（ｂ）に示すように、Ｒｅｌ−１３においては、ＳＣｅｌｌでもＰＵＣＣＨを送信できるようにすることが検討されている。
【００１２】
前述したように、ＣＡにおいては、ユーザ装置ＵＥがアクティブ化コマンド（Ａｃｔｉｖａｔｅ  ｃｏｍｍａｎｄ）を受信してからＳＣｅｌｌをアクティブ化（Ａｃｔｉｖａｔｅ）するが、実際にＳＣｅｌｌのアクティブ化が完了するまでの期間（実際にＳＣｅｌｌでの信号送受信ができるまでの期間）がユーザ装置ＵＥの実装によって異なりうる。
【００１３】
Ｒｅｌ−１２までのＣＡでは、ＰＵＣＣＨがＰＣｅｌｌでのみ送信可能であることから、基地局ｅＮＢは、ＳＣｅｌｌのＣＳＩ（ＣＱＩ等）の報告をＰＣｅｌｌのＵＬで受信する。従って、基地局ｅＮＢは、ユーザ装置ＵＥから報告されるＳＣｅｌｌ用のＣＱＩ値を観測することでユーザ装置ＵＥがＳＣｅｌｌをアクティブ化したことを検出可能である。より具体的な手順例を図６（ａ）に示す。図６（ａ）の例では、ＳＣｅｌｌとしてｓＴＡＧに含まれるＳＣｅｌｌが示される。ステップ１でＳＣｅｌｌ設定が行われる。ユーザ装置ＵＥは、ＰＣｅｌｌでＳＣｅｌｌのアクティブ化コマンドを受信する（ステップ２）。ユーザ装置ＵＥは、アクティブ化コマンドを受けてＳＣｅｌｌのアクティブ化処理を開始する。ステップ３の段階では、ＳＣｅｌｌのアクティブ化が完了していないため、ユーザ装置ＵＥはＳＣｅｌｌでの受信を正常に行うことができず、ＳＣｅｌｌのＣＱＩとしてＯＯＲ（Ｏｕｔ  Ｏｆ  Ｒａｎｇｅ）が基地局ｅＮＢに返される。
【００１４】
ステップ４でユーザ装置ＵＥにおけるＳＣｅｌｌのアクティブ化が完了し、ＳＣｅｌｌでの受信を正常に行えるようになるため、有効なＳＣｅｌｌのＣＱＩが返される（ステップ５）。これにより基地局ｅＮＢはユーザ装置ＵＥにおけるＳＣｅｌｌのアクティブ化を検出し、ＲＡ手順（ランダムアクセス手順）を指示するＰＤＣＣＨ  ｏｒｄｅｒをユーザ装置ＵＥにＳＣｅｌｌで送信する（ステップ６）。これによりＳＣｅｌｌについてのＲＡ手順が実行される（ステップ７）。ユーザ装置ＵＥは、ＳＣｅｌｌのＵＬ送信タイミングを取得し、ＵＬ送信可能となるので、基地局ｅＮＢによるＵＬのＳＣｅｌｌスケジューリングが開始される（ステップ８）。
【００１５】
一方で、Ｒｅｌ−１３で検討されているＰＵＣＣＨが設定されたＳＣｅｌｌでは、当該ＳＣｅｌｌのＣＳＩ（ここではＣＱＩとする）が当該ＳＣｅｌｌで送信されるため、基地局ｅＮＢは、ＰＵＣＣＨ  Ｃｅｌｌがアクティブ化されたことを早期に検出することができず、当該ＳＣｅｌｌでのＵＬ送信スケジューリングの開始に遅延が生じる可能性があるという課題がある。
【００１６】
この課題を図６（ｂ）を参照して説明する。図６（ｂ）の例では、ｓＴＡＧに含まれるＳＣｅｌｌのうち、ＰＵＣＣＨ送信可能なＳＣｅｌｌが示される。当該ＳＣｅｌｌのＣＱＩは当該ＳＣｅｌｌのＰＵＣＣＨで送信される。
【００１７】
ステップ１１でＳＣｅｌｌの設定が行われ、当該ＳＣｅｌｌをアクティブ化するためのアクティブ化コマンドが送信される（ステップ１２）。ユーザ装置ＵＥは、ＳＣｅｌｌのアクティブ化処理を行って、ステップ１３にてアクティブ化が完了する。しかし、この時点では、ＳＣｅｌｌのＵＬ同期が完了していないため、ユーザ装置ＵＥは、ＳＣｅｌｌのＣＱＩを基地局ｅＮＢに送信できない。従って、図６（ａ）の場合と異なり、基地局ｅＮＢは、ＣＱＩに基づいてＳＣｅｌｌのアクティブ化を判断できない。よって、基地局ｅＮＢは、例えば、予め定められた最悪値の期間の経過でもってＳＣｅｌｌのアクティブ化検出を行う（ステップ１４）。その後、ＰＤＣＣＨ  ｏｒｄｅｒ送信（ステップ１５）、ＲＡ手順（ステップ１６）が実行されることで、ＳＣｅｌｌでのＵＬ送信が可能となり、ＵＬスケジューリングが開始される（ステップ１７）。このように、上りスケジューリングに遅れが生じてしまう。
【００１８】
本発明は上記の点に鑑みてなされたものであり、上り制御情報を送信可能なセカンダリセルを含むキャリアアグリゲーションを用いてユーザ装置と基地局が通信を行う移動通信システムにおいて、当該セカンダリセルがユーザ装置に設定される場合に、基地局が当該セカンダリセルでの上りスケジューリングを早期に開始することを可能とする技術を提供することを目的とする。
【課題を解決するための手段】
【００１９】
本発明の実施の形態によれば、上り制御情報を送信可能なセカンダリセルと、プライマリセルとを含むキャリアアグリゲーションをサポートする移動通信システムにおいて基地局と通信を行うユーザ装置であって、
前記基地局から、前記セカンダリセルに対するアクティブ化指示を受信した後に、当該セカンダリセルにおける上り制御情報の種別を判定する判定部と、
前記上り制御情報がチャネル状態情報であると判定された場合に、当該チャネル状態情報を前記プライマリセルで送信し、前記上り制御情報が送達確認情報であると判定された場合に、当該送達確認情報を前記セカンダリセルで送信する送信部と
を備えるユーザ装置が提供される。
【００２０】
また、本発明の実施の形態によれば、上り制御情報を送信可能なセカンダリセルと、プライマリセルとを含むキャリアアグリゲーションをサポートする移動通信システムにおいて基地局と通信を行うユーザ装置であって、
前記基地局から、前記セカンダリセルに対するアクティブ化指示を受信した場合に、当該セカンダリセルにおける上り制御情報を前記セカンダリセルと前記プライマリセルの両方で送信する送信制御部を備え、
前記送信制御部は、前記アクティブ化指示に基づく前記セカンダリセルのアクティブ化が完了した後に、前記プライマリセルでの前記セカンダリセルにおける上り制御情報の送信を停止する
ユーザ装置が提供される。
【００２１】
また、本発明の実施の形態によれば、上り制御情報を送信可能なセカンダリセルと、プライマリセルとを含むキャリアアグリゲーションをサポートする移動通信システムにおいて基地局と通信を行うユーザ装置であって、
前記基地局から、前記セカンダリセルに対するアクティブ化指示を受信し、更に、個別プリアンブルを含むランダムアクセス指示を受信した場合に、当該個別プリアンブルを用いて当該セカンダリセルで非衝突型ランダムアクセス手順を実行するランダムアクセス手順制御部と、
前記非衝突型ランダムアクセス手順が完了した後に、前記セカンダリセルにおける上り制御情報を当該セカンダリセルで前記基地局に送信する送信部と
を備えるユーザ装置が提供される。
【００２２】
また、本発明の実施の形態によれば、上り制御情報を送信可能なセカンダリセルと、プライマリセルとを含むキャリアアグリゲーションをサポートする移動通信システムにおいて基地局と通信を行うユーザ装置であって、
前記ユーザ装置に設定された前記セカンダリセルがｓＴＡＧに属する場合に、前記基地局から当該セカンダリセルに対するアクティブ化指示を受信した後、ランダムアクセス手順を実行することなく、前記ｓＴＡＧに対するＴＡタイマを起動する上り送信制御部と、
前記ＴＡタイマの起動中に、前記セカンダリセルにおける上り制御情報を当該セカンダリセルで送信する送信部と
を備えるユーザ装置が提供される。
【００２３】
また、本発明の実施の形態によれば、上り制御情報を送信可能なセカンダリセルと、プライマリセルとを含むキャリアアグリゲーションをサポートする移動通信システムにおいて基地局と通信を行うユーザ装置が実行する上り制御情報送信方法であって、
前記基地局から、前記セカンダリセルに対するアクティブ化指示を受信した後に、当該セカンダリセルにおける上り制御情報の種別を判定するステップと、
前記上り制御情報がチャネル状態情報であると判定された場合に、当該チャネル状態情報を前記プライマリセルで送信し、前記上り制御情報が送達確認情報であると判定された場合に、当該送達確認情報を前記セカンダリセルで送信するステップと
を備える上り制御情報送信方法が提供される。
【００２４】
また、本発明の実施の形態によれば、上り制御情報を送信可能なセカンダリセルと、プライマリセルとを含むキャリアアグリゲーションをサポートする移動通信システムにおいて基地局と通信を行うユーザ装置が実行する上り制御情報送信方法であって、
前記基地局から、前記セカンダリセルに対するアクティブ化指示を受信し、更に、個別プリアンブルを含むランダムアクセス指示を受信した場合に、当該個別プリアンブルを用いて当該セカンダリセルで非衝突型ランダムアクセス手順を実行するステップと、
前記非衝突型ランダムアクセス手順が完了した後に、前記セカンダリセルにおける上り制御情報を当該セカンダリセルで前記基地局に送信するステップと
を備える上り制御情報送信方法が提供される。
【００２５】
また、本発明の実施の形態によれば、上り制御情報を送信可能なセカンダリセルと、プライマリセルとを含むキャリアアグリゲーションをサポートする移動通信システムにおいて基地局と通信を行うユーザ装置が実行する上り制御情報送信方法であって、
前記ユーザ装置に設定された前記セカンダリセルがｓＴＡＧに属する場合に、前記基地局から当該セカンダリセルに対するアクティブ化指示を受信した後、ランダムアクセス手順を実行することなく、前記ｓＴＡＧに対するＴＡタイマを起動するステップと、
前記ＴＡタイマの起動中に、前記セカンダリセルにおける上り制御情報を当該セカンダリセルで送信するステップと
を備える上り制御情報送信方法が提供される。
【発明の効果】
【００２６】
本発明の実施の形態によれば、上り制御情報を送信可能なセカンダリセルを含むキャリアアグリゲーションを用いてユーザ装置と基地局が通信を行う移動通信システムにおいて、当該セカンダリセルがユーザ装置に設定される場合に、基地局が当該セカンダリセルでの上りスケジューリングを早期に開始することを可能とする技術を提供することが可能となる。
【図面の簡単な説明】
【００２７】
【図１】Ｔｉｍｉｎｇ  Ａｄｖａｎｃｅ  （ＴＡ）制御を説明するための図である。
【図２】Ｔｉｍｉｎｇ  Ａｄｖａｎｃｅ  （ＴＡ）制御を説明するための図である。
【図３】Ｔｉｍｉｎｇ  Ａｄｖａｎｃｅ  （ＴＡ）制御を説明するための図である。
【図４】Ｍｕｌｔｉｐｌｅ  Ｔｉｍｉｎｇ  Ａｄｖａｎｃｅｓ  （ＭＴＡ）を説明するための図である。
【図５】ＳＣｅｌｌ  ＰＵＣＣＨを説明するための図である。
【図６】課題を説明するための図である。
【図７】本発明の実施の形態におけるシステム構成図である。
【図８】第１の実施の形態における基本的な動作例を説明するための図である。
【図９】第１の実施の形態におけるＵＣＩ送信方法例１を示す図である。
【図１０】第１の実施の形態におけるＵＣＩ送信方法例２を示す図である。
【図１１】第１の実施の形態におけるＵＣＩ送信方法例３を示す図である。
【図１２】第２の実施の形態における基本的な動作例を説明するための図である。
【図１３】ＣＢＲＡ手順の例を示す図である。
【図１４】ＣＦＲＡ手順の例を示す図である。
【図１５】ＰＤＣＣＨ  ｏｒｄｅｒを用いたＲＡ手順を説明するためのシーケンス図である。
【図１６】本実施の形態においてＰＤＣＣＨ  ｏｒｄｅｒとして用いられるＤＣＩフォーマットの例を説明するための図である。
【図１７】「ＣｒｏｓｓＣａｒｒｉｅｒＳｃｈｅｄｕｌｉｎｇＣｏｎｆｉｇ」の例を示す図である。
【図１８】第３の実施の形態における動作例を説明するための図である。
【図１９】第１の実施の形態におけるユーザ装置ＵＥの構成図である。
【図２０】基地局ｅＮＢの構成図である。
【図２１】第１の実施の形態におけるユーザ装置ＵＥの動作例を示すフローチャートである。
【図２２】第２の実施の形態におけるユーザ装置ＵＥの構成図である。
【図２３】第２の実施の形態におけるユーザ装置ＵＥの動作例を示すフローチャートである。
【図２４】第３の実施の形態におけるユーザ装置ＵＥの構成図である。
【図２５】第３の実施の形態におけるユーザ装置ＵＥの動作例を示すフローチャートである。
【発明を実施するための形態】
【００２８】
以下、図面を参照して本発明の実施の形態を説明する。なお、以下で説明する実施の形態は一例に過ぎず、本発明が適用される実施の形態は、以下の実施の形態に限られるわけではない。本実施の形態では、ＬＴＥの移動通信システムを対象とするが、本発明はＬＴＥに限らず、キャリアアグリゲーションを採用した他の移動通信システムにも適用可能である。
【００２９】
また、ＣＡを構成する「セル」は、ユーザ装置ＵＥが在圏するセルでありｓｅｒｖｉｎｇ  ｃｅｌｌと呼んでもよい。一例として、ＣＡを構成する「セル」は、下りのＣＣのみ、もしくは、下りのＣＣと上りのＣＣからなる。また、本明細書及び特許請求の範囲における「ＬＴＥ」の３ＧＰＰ規格書のリリースは、ＣＡが導入されている任意のリリースであるものとするが、これに限定されるわけではない。
（システム全体構成）
図７に、本発明の実施の形態（第１〜第３の実施の形態に共通）における通信システムの構成図を示す。図７に示すように、本実施の形態における通信システムは、基地局ｅＮＢとユーザ装置ＵＥとを含む移動通信システムである。基地局ｅＮＢとユーザ装置ＵＥとでＣＡ通信を行うことが可能である。図７では、基地局ｅＮＢとユーザ装置ＵＥがそれぞれ１つずつ示されているが、これは図示の便宜上のものであり、それぞれ複数存在してもよい。
【００３０】
また、図７の例では、１つのセルが示されているが、これも図示の便宜上のものであり、ＣＡが設定される際には複数のセルが存在する。また、例えば、基地局ｅＮＢから離れた場所に、基地局ｅＮＢと光ファイバ等で接続される１つ又は複数のＲＲＥ（遠隔無線装置）が備えられる構成であってもよい。当該ＲＲＥを用いる構成では、例えば、ＰＣｅｌｌによりマクロセルが形成され、ＲＲＥ配下のＳＣｅｌｌによりスモールセルが形成され、スモールセルに在圏したユーザ装置ＵＥが、ＣＡによる高スループット通信を行う。
【００３１】
以下、課題を解決するための方式の例として、第１〜第３の実施の形態をそれぞれ説明する。なお、以下の説明において、特に断らない限り、ｓＴＡＧにおける「ＳＣｅｌｌ」はＰＵＣＣＨ送信可能なＳＣｅｌｌである。
【００３２】
また、本発明に係る制御は、複数のセルからなるセルグループ単位にアクティブ化／非アクティブ化制御を行う場合にも適用できるものであり、以下の各実施の形態におけるＰＵＣＣＨ送信可能な「ＳＣｅｌｌ」を、ＰＵＣＣＨ送信可能なＳＣｅｌｌを少なくとも１つ含むＳＣｅｌｌ群からなる「セルグループ」に置き換えてもよい。
【００３３】
（第１の実施の形態）
まず、第１の実施の形態を説明する。第１の実施の形態では、ユーザ装置ＵＥは、ＵＣＩ（Ｕｐｌｉｎｋ  Ｃｏｎｔｒｏｌ  Ｉｎｆｏｒｍａｔｉｏｎ：上り制御情報）の種別毎に、当該種別のＵＣＩを送信するセルを選択する。特に、前述した課題を解決する観点で、ユーザ装置ＵＥは、ＳＣｅｌｌのＣＳＩをＰＣｅｌｌで送信し、ＡＣＫ／ＮＡＣＫ（送達確認情報）を当該ＳＣｅｌｌで送信する。ここでのＣＳＩは、ＣＱＩ（ＵＥが当該ＳＣｅｌｌの下りＣＣで受信した信号の品質）である。ただし、これに限定されない。また、ＡＣＫ／ＮＡＣＫをＳＣｅｌｌで送信するとは、当該ＳＣｅｌｌのＰＵＣＣＨ（例えば、上りＣＣの帯域の両端に設定された帯域のチャネル）でＡＣＫ／ＮＡＣＫを送信することである。なお、図面では、ＡＣＫ／ＮＡＣＫをＡ／Ｎと表記する。
【００３４】
図８を参照して、第１の実施の形態における基本的な動作例を説明する。ステップ１０１で、基地局ｅＮＢからユーザ装置ＵＥに送信されるＲＲＣ信号（ＲＲＣ  ｃｏｎｎｅｃｔｉｏｎ  ｒｅｃｏｎｆｉｇｕｒａｔｉｏｎ）によりＳＣｅｌｌ設定が行われる。ここでは、ＳＣｅｌｌ追加設定とともに、ｐＴＡＧ／ｓＴＡＧの設定がなされる。
【００３５】
その後、ＳＣｅｌｌのＣＣの測定（ｍｅａｓｕｒｅｍｅｎｔ）を経て、ユーザ装置ＵＥは、ＰＣｅｌｌでＳＣｅｌｌのアクティブ化コマンドを基地局ｅＮＢから受信する（ステップ１０２）。ユーザ装置ＵＥは、アクティブ化コマンドを受けてＳＣｅｌｌのアクティブ化処理を開始する。アクティブ化処理とは、例えば、ＳＣｅｌｌでの実際の信号送受信をできるようにするためのユーザ装置ＵＥの内部処理である。
【００３６】
図８の例では、ユーザ装置ＵＥは、ＳＣｅｌｌのＣＱＩをＳＣｅｌｌでなくてＰＣｅｌｌで送信することとしているので、ユーザ装置ＵＥは、ＳＣｅｌｌのＣＱＩをＰＣｅｌｌで送信するが、ステップ１０３、１０４の段階では、ＳＣｅｌｌのアクティブ化が完了していないため、ＳＣｅｌｌでの信号受信は正常に行われず、ＳＣｅｌｌのＣＱＩとしてＯＯＲ（Ｏｕｔ  Ｏｆ  Ｒａｎｇｅ）が返される。
【００３７】
ステップ１０５でユーザ装置ＵＥにおけるＳＣｅｌｌのアクティブ化が完了し、ＳＣｅｌｌでの受信を正常に行えるようになるため、有効なＳＣｅｌｌのＣＱＩが基地局ｅＮＢに返される（ステップ１０６）。これにより基地局ｅＮＢはＳＣｅｌｌのアクティブ化を検出し、ＲＡ手順（ランダムアクセス手順）を指示するＰＤＣＣＨ  ｏｒｄｅｒをユーザ装置ＵＥにＳＣｅｌｌで送信する（ステップ１０７）。ユーザ装置ＵＥは、ＰＤＣＣＨ  ｏｒｄｅｒに従ってＳＣｅｌｌについてのＲＡ手順を実行する（ステップ１０８）。このＲＡ手順では、例えば、ユーザ装置ＵＥは、ＳＣｅｌｌにおいて、ＲＡプリアンブルを基地局ｅＮＢに送信し、ＲＡレスポンスを基地局ｅＮＢから受信する等の処理を実行し、ＵＬ送信タイミング情報を取得し、ＴＡタイマを起動する。これにより、ユーザ装置ＵＥは、ＳＣｅｌｌによるＵＬ送信が可能となるので、基地局ｅＮＢによるＵＬのＳＣｅｌｌスケジューリングが開始される（ステップ１０９）。ＲＡ手順完了後、ＳＣｅｌｌのＡＣＫ／ＮＡＣＫはＳＣｅｌｌで送信される。尚、ＵＣＩを送信するセルは基地局ｅＮＢからユーザ装置ＵＥに対して指定されてもよく、ＵＣＩを送信するセルの指定方法については、送信するＣｅｌｌの識別子（例：ＣｅｌｌＩｎｄｅｘ、ＳＣｅｌｌＩｎｄｅｘ）でもよいし、（時間的、周波数的な）ＵＬリソースに括り付けて指定されてもよい。
【００３８】
上記のように、ＰＵＣＣＨ送信可能なＳＣｅｌｌを設定する場合でも、ＰＣｅｌｌで当該ＳＣｅｌｌのＣＱＩを送信することで、基地局ｅＮＢは早期にＳＣｅｌｌのアクティブ化を検出でき、早期にＵＬ送信を開始させることができる。
【００３９】
以下、ＵＣＩ種別毎に送信を行うセルを選択する選択方法のバリエーションとして、ＵＣＩ送信方法例１〜３を説明する。
【００４０】
＜ＵＣＩ送信方法例１＞
ＵＣＩ送信方法例１を図９（ａ）、（ｂ）を参照して説明する。図９において、ユーザ装置ＵＥにＰＣｅｌｌ（ｐＴＡＧ）と、ＳＣｅｌｌ（ｓＴＡＧ）が設定されていることが示されている。ＵＣＩ送信方法例１では、ＳＣｅｌｌのＡＣＫ／ＮＡＣＫがある場合、当該ＡＣＫ／ＮＡＣＫをＳＣｅｌｌで送信する。より具体的には以下のとおりである。判断の時間単位は例えばサブフレームである。
【００４１】
ＳＣｅｌｌでＵＣＩとしてＡＣＫ／ＮＡＣＫのみが発生している場合、ユーザ装置ＵＥは、当該ＡＣＫ／ＮＡＣＫをＳＣｅｌｌで送信する（図９（ｂ）のケース）。ＳＣｅｌｌでＣＱＩのみが発生している場合、ユーザ装置ＵＥは、当該ＣＱＩをＰＣｅｌｌで送信する（図９（ａ）のケース）。また、ＵＣＩとして、ＳＣｅｌｌのＡＣＫ／ＮＡＣＫとＳＣｅｌｌのＣＱＩがある場合、ユーザ装置ＵＥは、当該ＡＣＫ／ＮＡＣＫ＋ＣＱＩをＳＣｅｌｌで送信する（図９（ｂ）のケース）。
【００４２】
ＵＣＩ送信方法例１では、ＣＱＩのみの場合にＰＣｅｌｌを使用して送信するので、トラフィックが多い場合においてＳＣｅｌｌ側へのＵＣＩオフロード効果が高い。なお、ＳＣｅｌｌのアクティブ化完了前は、ＳＣｅｌｌでＡＣＫ／ＮＡＣＫを送信できないが、ＡＣＫ／ＮＡＣＫが発生するのは、ＰＤＳＣＨの受信ができるアクティブ化完了後であるため、実質的に問題はない。
【００４３】
＜ＵＣＩ送信方法例２＞
ＵＣＩ送信方法例２を図１０（ａ）、（ｂ）を参照して説明する。図１０においても、ユーザ装置ＵＥにＰＣｅｌｌ（ｐＴＡＧ）と、ＳＣｅｌｌ（ｓＴＡＧ）が設定されていることが示されている。ＵＣＩ送信方法例２では、ＳＣｅｌｌのＣＱＩが無い場合に限り、ＵＣＩをＳＣｅｌｌで送信し、それ以外の場合はＵＣＩをＰＣｅｌｌで送信する。より具体的には以下のとおりである。判断の時間単位は例えばサブフレームである。
【００４４】
ＳＣｅｌｌでＵＣＩとしてＡＣＫ／ＮＡＣＫのみが発生している場合、ユーザ装置ＵＥは、当該ＡＣＫ／ＮＡＣＫをＳＣｅｌｌで送信する（図１０（ａ）のケース）。ＳＣｅｌｌでＣＱＩのみが発生している場合、ユーザ装置ＵＥは、当該ＣＱＩをＰＣｅｌｌで送信する（図１０（ｂ）のケース）。また、ＳＣｅｌｌのＡＣＫ／ＮＡＣＫとＳＣｅｌｌのＣＱＩがある場合、ユーザ装置ＵＥは、当該ＡＣＫ／ＮＡＣＫ＋ＣＱＩをＰＣｅｌｌで送信する（図１０（ｂ）のケース）。
【００４５】
ＵＣＩ送信方法例２では、基地局ｅＮＢは、ユーザ装置ＵＥにおけるＣＱＩの送信タイミングでＰＣｅｌｌとＳＣｅｌｌの両方を監視する必要がないため、ＵＣＩ送信方法例１に比べて処理が簡易化されるという効果がある。
【００４６】
＜ＵＣＩ送信方法例３＞
続いて、ＵＣＩ送信方法例３を説明する。ＵＣＩ送信方法例３では、ユーザ装置ＵＥは、ＳＣｅｌｌのＣＳＩを、ＰＣｅｌｌと当該ＳＣｅｌｌの両方で送信する。この場合の手順例を図１１を参照して説明する。
【００４７】
図１１の前提として、ＳＣｅｌｌの追加設定が完了しているものとする。ユーザ装置ＵＥは、基地局ｅＮＢから当該ＳＣｅｌｌのアクティブ化コマンドを受信する（ステップ２０１）。ユーザ装置ＵＥは、アクティブ化コマンドを受信してから、実際にアクティブ化するまでの期間、ＰＣｅｌｌと当該ＳＣｅｌｌの両方でＣＳＩ報告を行う（ステップ２０２）。なお、ここでＣＳＩとして報告する情報は、ＣＱＩのみであってもよい。また、ＰＣｅｌｌ側で当該ＣＳＩを送信するためのリソースは、ＳＣｅｌｌの設定時にＲＲＣ信号で基地局ｅＮＢからユーザ装置ＵＥに指定されることとしてよい。
【００４８】
ただし、当該期間において、ＳＣｅｌｌ側は未だＵＬ同期が確立されていないため、ユーザ装置ＵＥは、実際にはＣＳＩを基地局ｅＮＢに送信することはできない。ステップ２０２でのユーザ装置ＵＥの動作としては、例えば、上位レイヤ（制御部等）の判断で、ＰＣｅｌｌとＳＣｅｌｌの両方でＣＳＩ報告を行う命令を下位レイヤ（無線部等）に出すが、下位レイヤにおいて、ＳＣｅｌｌでのＣＳＩ報告を実行できない状態である。
【００４９】
ステップ２０３において、ユーザ装置ＵＥはＳＣｅｌｌのアクティブ化を完了させる。本例では、ＳＣｅｌｌのＣＱＩがＰＣｅｌｌで送信されているので、基地局ｅＮＢはユーザ装置ＵＥのアクティブ化タイミングを把握できる。
【００５０】
ステップ２０４でＳＣｅｌｌのＵＬタイミングが確立した時点で、ユーザ装置ＵＥは、ＰＣｅｌｌ側のＰＵＣＣＨ送信（ＣＳＩ送信）を停止する（ステップ２０５）。この後は、ＳＣｅｌｌにてＳＣｅｌｌのＣＳＩの送信がなされる（ステップ２０６）。
【００５１】
ステップ２０４における「ＵＬタイミングが確立した時点」とは、ＳＣｅｌｌのＲＡ手順が完了した時点でもよいし、ＴＡタイマが起動したタイミングでもよい。また、ここでの「ＳＣｅｌｌのＲＡ手順が完了した時点」とは、ＲＡレスポンスを受信した時点、ＲＡレスポンスに対するＰＵＳＣＨを送信した時点、或いはＣｏｎｔｅｎｔｉｏｎ  ｒｅｓｏｌｕｔｉｏｎの時点（例えば、Ｍｓｇ３を送信した時点、その応答を受信した時点等）である。
【００５２】
（第２の実施の形態）
次に、第２の実施の形態を説明する。従来技術では、基地局ｅＮＢは、ＳＣｅｌｌがアクティブ化したことを検出した後に、ユーザ装置ＵＥに対してＲＡ手順実施を指示していたが、第２の実施の形態では、基地局ｅＮＢによるＳＣｅｌｌのアクティブ化検出を経ずに、ユーザ装置ＵＥがＳＣｅｌｌ（ＰＵＣＣＨ  ＳＣｅｌｌ）におけるＲＡ手順を実行する。
【００５３】
図１２を参照して、第２の実施の形態における基本的な動作例を説明する。図１２に示すように、基地局ｅＮＢからユーザ装置ＵＥに対し、ＳＣｅｌｌ追加設定が実施され（ステップ３０１）、ＳＣｅｌｌをアクティブ化させるアクティブ化コマンド（ＭＡＣ  ＣＥ）が送信される（ステップ３０２）。
【００５４】
ＳＣｅｌｌのアクティブ化コマンドを受信したユーザ装置ＵＥは、ＳＣｅｌｌのアクティブ化を完了する（ステップ３０３）。ここで、ＳＣｅｌｌでの信号の送受信が可能となる。
【００５５】
そして、図１２の例では、ステップ３０３でアクティブ化がなされたことをトリガとして、ユーザ装置ＵＥは、ＳＣｅｌｌでのＲＡ手順を実行し、ＵＬ送信タイミングを取得することで、ＵＬ同期を確立する。これにより、ユーザ装置ＵＥは、ＵＣＩをＰＵＣＣＨで送信可能になるとともに、基地局ｅＮＢはユーザ装置ＵＥにおけるＳＣｅｌｌのアクティブ化を検出し（ステップ３０５）、ＳＣｅｌｌでのＵＬスケジューリングを開始する（ステップ３０６）。
【００５６】
第２の実施の形態では、上記のように、基地局ｅＮＢにおけるＳＣｅｌｌアクティブ化検出を待たずに、ユーザ装置ＵＥの判断でＲＡ手順を実行できるので、早期にＵＬ送信が可能になるとともに、基地局ｅＮＢ側でも早期にＵＬスケジューリングを開始できる。
【００５７】
上記のとおり、ユーザ装置ＵＥは、基地局ｅＮＢから受信するアクティブ化コマンド（Ａｃｔｉｖａｔｉｏｎ／Ｄｅａｃｔｉｖａｔｉｏｎ  ＭＡＣ  ＣＥ）により、ＳＣｅｌｌをアクティブ化させて、当該ＳＣｅｌｌでＲＡ手順を実行する。
【００５８】
ユーザ装置ＵＥがＳＣｅｌｌでＲＡ手順を開始するトリガとしては、上記のように当該ＳＣｅｌｌを実際にアクティブ化した際としてもよいし、アクティブ化コマンド（ＭＡＣ  ＣＥ）を基地局ｅＮＢから受信した時点でＲＡ手順をトリガしてもよい。後者の場合、ユーザ装置ＵＥ内部の制御として、アクティブ化コマンドを受信した時点でＲＡ手順（例：処理モジュール）が起動するが、実際にＰＲＡＣＨ送信等のＲＡ手順が開始されるのは、アクティブ化の後である。
【００５９】
本実施の形態のＲＡ手順は、ＰＵＣＣＨ  ＳＣｅｌｌがｓＴＡＧになる場合にのみトリガされてもよい。当該ＳＣｅｌｌがｓＴＡＧでない場合（ＳＣｅｌｌがｐＴＡＧに含まれる場合）には、ユーザ装置ＵＥは、当該ＳＣｅｌｌでのＵＬ送信時に既に確立されているｐＴＡＧのＵＬタイミングを参照するため、基地局ｅＮＢはＰＵＣＣＨ  ＳＣｅｌｌでＣＱＩを受信したタイミングで、ＳＣｅｌｌがアクティベートされたことを検出可能である。従って、当該ＳＣｅｌｌがｓＴＡＧでない場合は、このタイミングでＰＤＣＣＨ  ｏｒｄｅｒにより通常通りにＲＡ手順を起動すればよい。なお、ＳＣｅｌｌ追加時の基地局ｅＮＢから受信するＲＲＣ信号により、ＰＵＣＣＨ  ＳＣｅｌｌがｓＴＡＧになるかどうかの設定が行われる。
【００６０】
また、本実施の形態におけるＳＣｅｌｌアクティブ化に伴うＲＡ手順起動は、当該ＳＣｅｌｌが非アクティブ状態からアクティブ状態になる場合に限定されて実施されてもよい。すなわち、既にアクティブ化されているＳＣｅｌｌに対して再度アクティブ化指示がユーザ装置ＵＥにおいて受信された場合には、ＰＤＣＣＨ  ｏｒｄｅｒを受信しなければＲＡ手順を起動しない。つまり、従来と同様に、ＰＤＣＣＨ  ｏｒｄｅｒによるＲＡ手順を実施する。なお、アクティブ化されているＳＣｅｌｌに対して再度アクティブ化指示がユーザ装置ＵＥにおいて受信される例としては以下のような例がある。
【００６１】
ユーザ装置ＵＥにおいて、ＳＣｅｌｌ＃１とＳＣｅｌｌ＃２を含むＣＡが設定され、ＳＣｅｌｌ＃１（ＰＵＣＣＨ  ＳＣｅｌｌ）がアクティブ状態にあり、ＳＣｅｌｌ＃２が非アクティブ状態であるとし、基地局ｅＮＢがＳＣｅｌｌ＃２に対してアクティブ化コマンドを送信する場合を考える。このとき、Ａｃｔｉｖａｔｉｏｎ／Ｄｅａｃｔｉｖａｔｉｏｎ  ｃｏｍｍａｎｄ  ＭＡＣ  ＣＥの構造上、ＳＣｅｌｌ＃１のアクティブ状態を継続するにはアクティブ化コマンドをＳＣｅｌｌ＃１にも送信する必要がある（非特許文献２）。つまり、アクティブ化されているＳＣｅｌｌに対して再度アクティブ化指示が送信される。
【００６２】
本実施の形態におけるＲＡ手順は、衝突型ＲＡ手順（ＣＢＲＡ：Ｃｏｎｔｅｎｔｉｏｎ  Ｂａｓｅｄ  Ｒａｎｄｏｍ  Ａｃｃｅｓｓ）でもよいし、非衝突ＲＡ手順（ＣＦＲＡ：Ｃｏｎｔｅｎｔｉｏｎ  Ｆｒｅｅ  Ｒａｎｄｏｍ  Ａｃｃｅｓｓ）でもよい。
【００６３】
＜ＣＢＲＡ手順例＞
図１３に、ユーザ装置ＵＥが、ＲＡ手順としてＣＢＲＡ手順を実行する場合における手順例を示す。図１３に示すように、ユーザ装置ＵＥがＲＡ手順開始のトリガを検知する（ステップ４０１）。このトリガは、例えば、ＳＣｅｌｌが実際にアクティブ化されたことである。
【００６４】
ステップ４０２において、ユーザ装置ＵＥは、当該ＳＣｅｌｌのＰＲＡＣＨでＲＡプリアンブルを基地局ｅＮＢに送信する。基地局ｅＮＢは、ＵＬタイミング情報等を含むＲＡレスポンスをユーザ装置ＵＥに返す（ステップ４０３）。ステップ４０４で、ユーザ装置ＵＥは、ＵＥのＩＤ等を含むＭｓｇ３を基地局ｅＮＢに送信する。
【００６５】
ＲＡ手順として、ＣＢＲＡを実行する場合、プリアンブルを予め割り当てる必要が無いため、リソース利用効率が低くならないという利点がある。
【００６６】
＜ＣＦＲＡ手順例＞
次に、ＣＦＲＡ手順について説明する。一般には、ユーザ装置ＵＥに対してＣＦＲＡ手順実行を指示する方法としてＲＲＣとＰＤＣＣＨ  ｏｒｄｅｒの２つが存在する。ＲＲＣ信号によるＣＦＲＡ手順実行指示（ＲＡＣＨトリガ）はハンドオーバ時やＤＣ（Ｄｕａｌ  ｃｏｎｎｅｃｔｉｖｉｔｙ）設定時に用いられる。また、ＰＤＣＣＨ  ｏｒｄｅｒは、ＳＣｅｌｌ（ｓＴＡＧ）設定時において、ＳＣｅｌｌ上でＵＬタイミングを確立する際に用いられる。
【００６７】
ＣＦＲＡ手順においては、基地局ｅＮＢは、ユーザ装置ＵＥに対して、当該ユーザ装置ＵＥ個別の（ＵＥ  ｄｅｄｉｃａｔｅｄの）プリアンブルを割り当て、ユーザ装置ＵＥは当該プリアンブルを基地局ｅＮＢに送信する。
【００６８】
本実施の形態では、ＲＡ手順としてＣＦＲＡを適用する場合、例えば、個別プリアンブルをＭＡＣ  ＣＥ（「ＲＡ  ｔｒｉｇｇｅｒ  ＭＡＣ  ＣＥ」と呼ぶ）を用いてユーザ装置ＵＥに割り当てる。
【００６９】
この場合のＣＦＲＡ手順の例を図１４を参照して説明する。図１４の前提としてＳＣｅｌｌ追加は完了している。
【００７０】
ステップ５０１において、ユーザ装置ＵＥは基地局ｅＮＢから当該ＳＣｅｌｌのアクティブ化コマンドを受信する。更に、ステップ５０２において、ユーザ装置ＵＥは基地局ｅＮＢから当該ＳＣｅｌｌでのＲＡ手順を指示するＲＡ  ｔｒｉｇｇｅｒ  ＭＡＣ  ＣＥを受信する（ＰＣｅｌｌで受信）。なお、ステップ５０２では、基地局ｅＮＢは、ＳＣｅｌｌのアクティブ化を確認してからＲＡ  ｔｒｉｇｇｅｒ  ＭＡＣ  ＣＥをユーザ装置ＵＥに送っているのではない。この点、ＰＤＣＣＨ  ｏｒｄｅｒの送信とは異なる。
【００７１】
ステップ５０２で基地局ｅＮＢから送信されるＲＡ  ｔｒｉｇｇｅｒ  ＭＡＣ  ＣＥには、ユーザ装置ＵＥのＲＡＣＨに必要なｐｒｅａｍｂｌｅ  ｉｎｄｅｘ、ＰＲＡＣＨ  ｒｅｓｏｕｃｅ  ｉｎｄｅｘ、及び、ＴＡＧ−ｉｄが含まれる。また、当該ＭＡＣ  ＣＥは同一ＭＡＣ  ＰＤＵに多重されてもよい。
【００７２】
ＲＡ  ｔｒｉｇｇｅｒ  ＭＡＣ  ＣＥを受信したユーザ装置ＵＥにおいて、アクティブ化コマンドを受けたＳＣｅｌｌがアクティブ化した後、ＴＡＧ−ｉｄで指定されたＴＡＧ内のＰＵＣＣＨ  ＳＣｅｌｌ（＝アクティブ化コマンドを受けたＳＣｅｌｌ）でＲＡ手順を起動し、ＲＡ  ｔｒｉｇｇｅｒ  ＭＡＣ  ＣＥで指定されたプリアンブルを含むＲＡプリアンブルを当該ＳＣｅｌｌで送信する（ステップ５０３）。当該ＲＡプリアンブルは、ＲＡ  ｔｒｉｇｇｅｒ  ＭＡＣ  ＣＥで指定されたＰＲＡＣＨリソースで送信される。そして、ステップ５０４においてユーザ装置ＵＥは、当該ＳＣｅｌｌでＵＬタイミング情報を含むＲＡレスポンスを受信する。そして、ＵＬ同期が確立し、ユーザ装置ＵＥは、ＳＣｅｌｌでのＵＣＩ送信を行うとともに、基地局ｅＮＢはＵＬスケジューリングを開始する。
【００７３】
上記にように、本実施の形態におけるＲＡ手順としてＣＦＲＡ手順を実行する場合、基地局ｅＮＢは、予め個別のリソースをユーザ装置ＵＥ割り当てておく必要があるが、ＲＡ手順を早期に完了できるという利点がある。
【００７４】
尚、ＲＡ  ｔｒｉｇｇｅｒ  ＭＡＣ  ＣＥは、ＣＦＲＡ起動に用いるものとして説明したが、ｐｒｅａｍｂｌｅ  ｉｎｄｅｘの指定によっては、ＣＢＲＡのトリガとしても用いることは可能である。その場合、一例として、図１４を参照して説明した手順と同様の手順でＣＢＲＡを実行する。
【００７５】
すなわち、ＲＡ  ｔｒｉｇｇｅｒ  ＭＡＣ  ＣＥをＣＢＲＡのトリガとして用いる場合、ユーザ装置ＵＥは、基地局ｅＮＢから、ＳＣｅｌｌに対するアクティブ化コマンドを受信し、更に、ＣＢＲＡの指定に該当するｐｒｅａｍｂｌｅ  ｉｎｄｅｘを含むＲＡ  ｔｒｉｇｇｅｒ  ＭＡＣ  ＣＥを受信した場合に、当該ＳＣｅｌｌでＣＢＲＡ手順を実行し、ＣＢＲＡ手順が完了した後に、当該ＳＣｅｌｌにおけるＵＣＩを当該ＳＣｅｌｌで基地局ｅＮＢに送信する。
【００７６】
ＲＡ  ｔｒｉｇｇｅｒ  ＭＡＣ  ＣＥをＣＢＲＡのトリガとして用いる場合のＣＢＲＡ実行の指定は、ｐｒｅａｍｂｌｅ  ｉｎｄｅｘに限らず他の情報でもよい。ＲＡ  ｔｒｉｇｇｅｒ  ＭＡＣ  ＣＥは、ＣＦＲＡにも使用できるし、ＣＢＲＡにも使用できることから、「ＲＡ手順」を用いて以下のように記述することもできる。
【００７７】
すなわち、ユーザ装置ＵＥは、基地局ｅＮＢから、ＳＣｅｌｌに対するアクティブ化コマンドを受信し、更に、ＲＡ  ｔｒｉｇｇｅｒ  ＭＡＣ  ＣＥ（ＲＡトリガ信号）を受信した場合に、当該ＳＣｅｌｌでＲＡ手順を実行し、ＲＡ手順が完了した後に、当該ＳＣｅｌｌにおけるＵＣＩを当該ＳＣｅｌｌで基地局ｅＮＢに送信する。
【００７８】
＜ＰＤＣＣＨ  ｏｒｄｅｒを用いたＲＡ手順の指示＞
本実施の形態におけるＲＡ手順の指示は、上記にあるようなＭＡＣ  ＣＥを用いる例に限定されない。物理チャネルであるＰＤＣＣＨを用いてＲＡ手順を指示することも可能である。すなわち、ＰＤＣＣＨ  ｏｒｄｅｒによりＲＡ手順を指示することが可能である。
【００７９】
図６（ｂ）を参照して既に説明したように、従来技術では、基地局ｅＮＢは、ＲＡ手順を指示する対象となるＰＵＣＣＨ  ＳＣｅｌｌがアクティブ化されたことを検出した後に、当該ＳＣｅｌｌにおいてＰＤＣＣＨ  ｏｒｄｅｒをユーザ装置ＵＥに送信し、ユーザ装置ＵＥに当該ＳＣｅｌｌでＲＡ手順を開始させる。一方、以下で説明する本実施の形態に係る技術では、基地局ｅＮＢは、ＲＡ手順を指示する対象となるＰＵＣＣＨ  ＳＣｅｌｌがアクティブ化されたことの検出を行うことなく、ＰＤＣＣＨ  ｏｒｄｅｒを送信する。これにより上りスケジューリングの遅れを解消し、早期に上りスケジューリングが可能となる。
【００８０】
本例の処理内容を図１５のシーケンス図を参照してより詳細に説明する。図１５のシーケンス図では、ユーザ装置ＵＥがどのセル（どのキャリア）を使用して信号を送受信するのかを表すために、ＰＣｅｌｌ、ＰＵＣＣＨ  ＳＣｅｌｌをユーザ装置ＵＥ側に図示している。
【００８１】
ステップ６０１において、基地局ｅＮＢはユーザ装置ＵＥに対して、ＰＤＣＣＨ  ｏｒｄｅｒを送信するセル（ＵＥにとっては受信するセル）を設定するための設定情報を送信し、ユーザ装置ＵＥはＰＤＣＣＨ  ｏｒｄｅｒを受信するセルとして当該セルを設定（記憶）する。当該設定情報は、例えばＲＲＣメッセージ（例：ＣｒｏｓｓＣａｒｒｉｅｒＳｃｈｅｄｕｌｉｎｇＣｏｎｆｉｇ）を用いて送信するが、これに限らず、ＭＡＣ信号で送信してもよい。また、ＰＵＣＣＨ  ＳＣｅｌｌを設定するＲＲＣメッセージに当該設定情報を含めて送信することとしてもよい。
【００８２】
本例では、基地局ｅＮＢはＰＣｅｌｌでＰＤＣＣＨ  ｏｒｄｅｒを送信することとし、ステップ６０１の設定情報には、この「ＰＣｅｌｌ」を指定するセルインデックス等の情報が含まれる。なお、ＰＣｅｌｌでＰＤＣＣＨ  ｏｒｄｅｒを送信することは一例であり、ＳＣｅｌｌでＰＤＣＣＨ  ｏｒｄｅｒを送信することとしてもよい。
【００８３】
ユーザ装置ＵＥは、基地局ｅＮＢからＰＵＣＣＨ  ＳＣｅｌｌのアクティブ化コマンドを受信する（ステップ６０２）と、ＰＵＣＣＨ  ＳＣｅｌｌのＲＡ手順をトリガするためのＰＤＣＣＨ  ｏｒｄｅｒを、ステップ６０１で設定されたセル（本例ではＰＣｅｌｌ）で待ち受ける。なお、「待ち受ける」とは、当該セル（本例ではＰＣｅｌｌ）のキャリアにおける所定のリソースの信号をブラインド復号して、自分宛てのＰＤＣＣＨ  ｏｒｄｅｒを受信したかどうかを確認（監視）することである。
【００８４】
一方、基地局ｅＮＢは、ステップ６０２でアクティブ化コマンドを送信した後（或いは、そのＡＣＫを受信後）、ユーザ装置ＵＥに対して、ステップ６０１で設定したセル（本例ではＰＣｅｌｌ）でＰＤＣＣＨ  ｏｒｄｅｒを送信する（ステップ６０３）。
【００８５】
当該ＰＤＣＣＨ  ｏｒｄｅｒには、ユーザ装置ＵＥにおいて、ＲＡ手順を開始させるセルを指定する情報が含まれる。本例では、図１５に示されているＰＵＣＣＨ  ＳＣｅｌｌが指定される。当該指定する情報は、例えばセルのインデックスである。また、当該ＰＤＣＣＨ  ｏｒｄｅｒには、ユーザ装置ＵＥに対してＰＵＣＣＨ  ＳＣｅｌｌで送信させるＲＡプリアンブルを指定する情報（例：Ｐｒｅａｍｂｌｅ  Ｉｎｄｅｘ）、ＰＲＡＣＨリソースを指定する情報（例：ＰＲＡＣＨ  Ｍａｓｋ  Ｉｎｄｅｘ）が含まれる。
【００８６】
図１６に、本実施の形態のＰＤＣＣＨ  ｏｒｄｅｒに対応するＤＣＩのフォーマットの例を示す。図１６に示すように、ＣＩＦ（Ｃａｒｒｉｅｒ  ｉｎｄｉｃａｔｏｒ  Ｆｉｅｌｄ）に、ＲＡ手順を開始させるセルのインデックスが設定され、その他のフィールドにＰｒｅａｍｂｌｅ  Ｉｎｄｅｘ、ＰＲＡＣＨ  Ｍａｓｋ  Ｉｎｄｅｘ等の情報が設定される。
【００８７】
図１５のステップ６０３において、ユーザ装置ＵＥは、ＰＣｅｌｌでＰＤＣＣＨ  ｏｒｄｅｒを受信すると、ＲＡ手順をトリガする（ステップ６０４）。ただし、この時点では、ＲＡ手順を開始させる対象であるＰＵＣＣＨ  ＳＣｅｌｌのアクティベートが完了していないため、ＲＡ手順（ＲＡ  ｐｒｅａｍｂｌｅ送信）の開始はペンディングとなる。
【００８８】
ステップ６０５でＰＵＣＣＨ  ＳＣｅｌｌのアクティブ化が完了すると、ユーザ装置ＵＥは、ＰＵＣＣＨ  ＳＣｅｌｌでＲＡ手順を開始する（ステップ６０６、６０７）。その後、ＵＬ同期が確立され、ユーザ装置ＵＥは、ＰＵＣＣＨ  ＳＣｅｌｌでのＵＣＩ送信を行うとともに、基地局ｅＮＢはＵＬスケジューリングを開始する。
【００８９】
上記のステップ６０２（アクティブ化コマンド受信）を契機に開始されるＰＤＣＣＨ  ｏｒｄｅｒの監視は、例えば、ユーザ装置ＵＥが、基地局ｅＮＢからＰＤＣＣＨ  ｏｒｄｅｒを受信した時点で停止する。もしくは、アクティブ化コマンドで指定されたＳＣｅｌｌのアクティブ化が完了した時点で停止してもよい。また、アクティブ化コマンドを受信してから、所定期間が経過した場合に停止してもよい。また、アクティブ化コマンドを受信してから、当該アクティブ化コマンドで指定されたＳＣｅｌｌで最初のＰＤＣＣＨ（ＤＬ  ａｓｓｉｇｎｍｅｎｔ，  ＵＬ  ｇｒａｎｔ等）を受信した場合に停止してもよい。また、アクティブ化コマンドで指定されたＳＣｅｌｌが非アクティブ化された場合（例：非アクティブ化コマンド受信、Ｄｅａｃｔｉｖａｔｉｏｎ  ｔｉｍｅｒ満了）に停止してもよい。
【００９０】
本実施の形態におけるＰＤＣＣＨ  ｏｒｄｅｒの手法は、あるセル（スケジューリングセル）で送信するＰＤＣＣＨに、別のセルのスケジューリング情報（ＤＣＩ）を含めて送信するＣｒｏｓｓ  Ｃａｒｒｉｅｒ  Ｓｃｈｅｄｕｌｉｎｇ（ＣＣＳ）を応用している。ただし、以下の点で、本実施の形態におけるＰＤＣＣＨ  ｏｒｄｅｒの手法は、従来のＣＣＳとは異なる。
【００９１】
すなわち、従来のＣＣＳではスケジューリングセルをＲＲＣで準静的に設定することとしているため、基地局ｅＮＢからの指示がない限り、スケジューリングセルは変更されない。一方、本実施の形態におけるＰＤＣＣＨ  ｏｒｄｅｒの手法では、ＰＵＣＣＨ  ＳＣｅｌｌをアクティブ化する場合に限定してＣＣＳを適用すること（Ｏｎｅ  ｓｈｏｔな動作）としており、ＰＵＣＣＨ  ＳＣｅｌｌがアクティブ化された後、ＣＣＳは適用せず、通常通りＯｗｎ  Ｓｃｈｅｄｕｌｉｎｇを行う。
【００９２】
図１７に、上記のようにしてＰＤＣＣＨ  ｏｒｄｅｒによるＲＡ手順トリガを実施する場合における、ＲＲＣメッセージ（ＣｒｏｓｓＣａｒｒｉｅｒＳｃｈｅｄｕｌｉｎｇＣｏｎｆｉｇ）の情報要素の例を示す。当該情報要素は、図１５のステップ６０１で送信される設定情報を含む。図１７（ａ）、（ｂ）では、既存の「ＣｒｏｓｓＣａｒｒｉｅｒＳｃｈｅｄｕｌｉｎｇＣｏｎｆｉｇ」（非特許文献３）に対して、変更が生じる箇所に下線を付している。
【００９３】
図１７（ｂ）に示す「ｆｏｒＰＲＡＣＨ−Ａｃｔｉｖａｔｉｏｎ」で示されるフィールドの情報が、図１５のステップ６０１で説明した設定情報に含まれる。図１７（ｂ）の説明に示されるように、当該フィールドが存在する場合に、ＰＵＣＣＨ  ＳＣｅｌｌのアクティブ化に起因するＲＡプリアンブルのみにＣＣＳが適用される。
【００９４】
尚、上記のＰＤＣＣＨ  ｏｒｄｅｒは、ＣＦＲＡ起動に用いるものとして説明したが、ＲＡ  ｔｒｉｇｇｅｒ  ＭＡＣ  ＣＥの場合と同様に、ｐｒｅａｍｂｌｅ  ｉｎｄｅｘの指定によっては、ＣＢＲＡのトリガとしても用いることが可能である。すなわち、ユーザ装置ＵＥは、基地局ｅＮＢから、ＣＢＲＡの指定に該当するｐｒｅａｍｂｌｅ  ｉｎｄｅｘを含むＰＤＣＣＨ  ｏｒｄｅｒを受信した場合に、ＰＵＣＣＨ  ＳＣｅｌｌでＣＢＲＡ手順を実行し、ＣＢＲＡ手順が完了した後に、当該ＳＣｅｌｌにおけるＵＣＩを当該ＳＣｅｌｌで基地局ｅＮＢに送信する。ＰＤＣＣＨ  ｏｒｄｅｒをＣＢＲＡのトリガとして用いる場合のＣＢＲＡ実行の指定は、ｐｒｅａｍｂｌｅ  ｉｎｄｅｘに限らず他の情報を用いて行うこととしてもよい。
【００９５】
＜その他の例＞
本実施の形態において、ＳＣｅｌｌがアクティブ化したら常にＲＡ手順を行うことは必須ではない。例えば、ユーザ装置ＵＥにおいて、当該ＳＣｅｌｌが属するｓＴＡＧに対するＴＡタイマが起動中である場合は、当該ＳＣｅｌｌが非アクティブ状態からアクティブ状態になった場合でも、ＲＡ手順を実行しなくてよい。当該ｓＴＡＧに対して既にＴＡタイマが起動中の場合、当該ｓＴＡＧに含まれる当該ＳＣｅｌｌのＵＬ同期は確立しており、ＵＬ同期のためのＲＡ手順が不要のためである。
【００９６】
ただし、ＴＡタイマ起動中にＲＡ手順を行うか否かを基地局ｅＮＢからユーザ装置ＵＥにＲＲＣ信号等で指示し、ユーザ装置ＵＥは当該指示に従って、ＴＡタイマ起動中にＲＡ手順を行うか否かを判断してもよい。また、通常、ＴＡタイマ起動中に実施されるＣＢＲＡ手順中に受信されるＴＡ  ｃｏｍｍａｎｄ（ＵＬタイミング情報）は、ユーザ装置ＵＥで無視されるが、本ケースでは無視されなくてもよい。
【００９７】
（第３の実施の形態）
次に、第３の実施の形態を説明する。第３の実施の形態では、ユーザ装置ＵＥにおけるｓＴＡＧのＳＣｅｌｌでのＵＬ送信タイミングが、ユーザ装置ＵＥが移動しても、ほとんどずれないようなケースを想定している。そのようなケースの例としては、当該ＳＣｅｌｌによりカバレッジの狭いスモールセルを形成する場合がある。
【００９８】
上記の前提の下、第３の実施の形態では、ユーザ装置ＵＥは、ＰＵＣＣＨ  ＳＣｅｌｌ設定直後から、ＲＡ手順を行うことなく、当該ＳＣｅｌｌでＵＬ送信を行う。
【００９９】
図１８を参照して第３の実施の形態における動作例を説明する。ステップ７０１において、基地局ｅＮＢからユーザ装置ＵＥにＳＣｅｌｌの設定がなされる。ここでは、ＰＵＣＣＨ  ＳＣｅｌｌの追加が指示されるとともに、当該ＳＣｅｌｌのｓＴＡＧが指示される。
【０１００】
ステップ７０２で、基地局ｅＮＢからユーザ装置ＵＥに当該ＳＣｅｌｌのアクティブ化コマンドが送信され、ユーザ装置ＵＥは当該アクティブ化コマンドを受信する。ステップ７０３で、ＳＣｅｌｌのアクティブ化が完了する。
【０１０１】
図１８の例では、ＳＣｅｌｌのアクティブ化が完了した時点で、ユーザ装置ＵＥは、当該ｓＴＡＧにおけるＴＡタイマを自律でスタートさせる（ステップ７０３）。なお、ＴＡタイマをスタートさせるタイミングは、ステップ７０２でアクティブ化コマンドを受信したタイミングでもよい。
【０１０２】
ユーザ装置ＵＥは、当該ＳＣｅｌｌにおけるＵＬタイミング情報を有しているものとし、当該タイミング情報に従って、ステップ６０３の後、ＵＬ送信を行うことができる（ステップ７０４）。当該ＳＣｅｌｌのＵＬタイミング情報は、例えば、基地局ｅＮＢから報知情報、ＭＡＣ信号、ＲＲＣ信号等で通知されることとしてもよいし、ユーザ装置ＵＥが、以前にＲＡ手順により取得したＵＬタイミング情報を保持し、そのＵＬタイミング情報を使用することとしてもよい。
【０１０３】
基地局ｅＮＢは、アクティブ化コマンドの送信後、ＳＣｅｌｌでＣＳＩ報告を監視しており、ＳＣｅｌｌの有効なＣＱＩを受信することで、ＳＣｅｌｌがアクティブ化されたことを検出し（ステップ７０５）、ＵＬ  ＳＣｅｌｌスケジューリングを開始する（ステップ７０６）。
【０１０４】
なお、当該ｓＴＡＧのＴＡタイマが既に起動中の場合、ユーザ装置ＵＥは、ＳＣｅｌｌのアクティブ化コマンドを受信した時点、もしくは、実際にＳＣｅｌｌがアクティブ化された時点で、当該ＴＡタイマを再起動してもよい。
【０１０５】
また、ＴＡタイマの自律起動は、基地局ｅＮＢからＲＲＣ信号等で指示があった場合にのみ行ってもよい。更に、ＴＡタイマの自律起動を指示するＲＲＣ信号等により、ＴＡタイマ初期値をユーザ装置ＵＥに通知することとしてもよい。
【０１０６】
上記のように、第３の実施の形態では、ＲＡ手順を実行することなくＳＣｅｌｌでＣＱＩを送信できるので、基地局ｅＮＢは早期にＵＬスケジューリングを開始できる。
【０１０７】
なお、これまでに説明した第１〜第３の実施の形態は、矛盾しない限り、組み合わせて実施できる。また、ユーザ装置ＵＥと基地局ｅＮＢはそれぞれ、第１〜第３の実施の形態の全部を実施できる機能を含んでもよいし、いずれか１つ又は２つの実施の形態で説明した機能を含むこととしてもよい。
【０１０８】
（装置構成例）
次に、これまでの説明した処理を実行するユーザ装置ＵＥと基地局ｅＮＢにおける構成例を説明する。
【０１０９】
＜第１の実施の形態に係る装置構成例＞
まず、図１９に、第１の実施の形態に係るユーザ装置ＵＥの機能構成図を示す。図１９に示すように、ユーザ装置ＵＥは、ＵＬ信号送信部１０１、ＤＬ信号受信部１０２、ＲＲＣ管理部１０３、ＵＣＩ送信制御部１０４を含む。図１９は、ユーザ装置ＵＥにおいて第１の実施の形態に特に関連する機能部のみを示すものであり、少なくともＬＴＥに準拠した動作を行うための図示しない機能も有するものである。また、図１９に示す機能構成は一例に過ぎない。本実施の形態に係る動作を実行できるのであれば、機能区分や機能部の名称はどのようなものでもよい。
【０１１０】
ＵＬ信号送信部１０１は、ユーザ装置ＵＥから送信されるべき上位のレイヤの信号から、物理レイヤの各種信号を生成し、無線送信する機能を含む。ＤＬ信号受信部１０２は、基地局ｅＮＢから各種の信号を無線受信し、受信した物理レイヤの信号からより上位のレイヤの信号を取得する機能を含む。ＵＬ信号送信部１０１及びＤＬ信号受信部１０２はそれぞれ、複数のＣＣを束ねて通信を行うＣＡを実行する機能を含む。
【０１１１】
ＵＬ信号送信部１０１及びＤＬ信号受信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【０１１２】
ＲＲＣ管理部１０３は、基地局ｅＮＢとの間でＲＲＣメッセージの送受信を行うとともに、ＣＡ情報の設定／変更／管理、構成変更等の処理を行う機能を含む。
【０１１３】
ＵＣＩ送信制御部１０４は、第１の実施の形態に係る、ＵＣＩ種別毎に送信するセルを選択し、選択したセルでのＵＣＩ送信をＵＬ信号送信部１０１に指示する機能を含む。なお、ＵＣＩ送信制御部１０４は、ＵＬ信号送信部１０１内に含まれる機能部であってもよい。
【０１１４】
図２０に、本発明の実施の形態に係る基地局ｅＮＢの機能構成図を示す。基地局ｅＮＢに関しては、第１〜第３の実施の形態に共通の構成が示されている。図２０に示すように、基地局ｅＮＢは、ＤＬ信号送信部２０１、ＵＬ信号受信部２０２、ＲＲＣ管理部２０３、スケジューリング部２０４を含む。図２０は、基地局ｅＮＢにおいて本発明の実施の形態に特に関連する機能部のみを示すものであり、少なくともＬＴＥに準拠した動作を行うための図示しない機能も有するものである。また、図２０に示す機能構成は一例に過ぎない。本実施の形態に係る動作を実行できるのであれば、機能区分や機能部の名称はどのようなものでもよい。
【０１１５】
ＤＬ信号送信部２０１は、基地局ｅＮＢから送信されるべき上位のレイヤの信号から、物理レイヤの各種信号を生成し、無線送信する機能を含む。ＵＬ信号受信部２０２は、各ＵＥから各種の信号を無線受信し、受信した物理レイヤの信号からより上位のレイヤの信号を取得する機能を含む。ＤＬ信号送信部２０１及びＵＬ信号受信部２０２はそれぞれ、複数のＣＣを束ねて通信を行うＣＡを実行する機能を含む。また、ＤＬ信号送信部２０１及びＵＬ信号受信部２０２は、ＲＲＥのように、基地局ｅＮＢの本体（制御部）から遠隔に設置された無線通信部であってもよい。
【０１１６】
ＤＬ信号送信部２０１及びＵＬ信号受信部２０２はそれぞれ、パケットバッファを備え、レイヤ１（ＰＨＹ）及びレイヤ２（ＭＡＣ、ＲＬＣ、ＰＤＣＰ）の処理を行うことを想定している（ただし、これに限られるわけではない）。
【０１１７】
ＲＲＣ管理部２０３は、ユーザ装置ＵＥとの間でＲＲＣメッセージの送受信を行うとともに、ＣＡの設定／変更／管理、構成変更等の処理を行う機能を含む。
【０１１８】
スケジューリング部２０４は、ＣＡを実施するユーザ装置ＵＥに対し、セル毎にスケジューリングを行って、ＰＤＣＣＨの割り当て情報を作成し、当該割り当て情報を含むＰＤＣＣＨの送信をＤＬ信号送信部２０１に指示する機能を含む。
【０１１９】
図１９に示したユーザ装置ＵＥの動作例を図２１のフローチャートを参照して説明する。ＲＲＣ管理部１０３によるＳＣｅｌｌ追加設定は既になされているとする。ユーザ装置ＵＥのＤＬ信号受信部１０２が、ＳＣｅｌｌのアクティブ化コマンドを受信した（ステップ８０１）後、ＵＣＩ送信制御部１０４は、ＵＬ信号送信部１０１において生成された当該ＳＣｅｌｌのＵＣＩの種別を判定する（ステップ８０２）。ＵＣＩ送信制御部１０４は、当該種別が、ＳＣｅｌｌのＣＱＩのみであれば、当該ＣＱＩをＰＣｅｌｌで送信するようＵＬ信号送信部１０１に指示し、送信させる（ステップ８０３）。また、ＵＣＩ送信制御部１０４は、当該種別が、ＳＣｅｌｌのＡＣＫ／ＮＡＣＫを含むものであれば、当該ＵＣＩをＳＣｅｌｌで送信するようＵＬ信号送信部１０１に指示し、送信させる（ステップ８０４）。
【０１２０】
上記の動作は一例である。ユーザ装置ＵＥは、第１の実施の形態で説明した全ての動作を実行できる機能を備える。
【０１２１】
例えば、ユーザ装置ＵＥは、上り制御情報を送信可能なセカンダリセルと、プライマリセルとを含むキャリアアグリゲーションをサポートする移動通信システムにおいて基地局と通信を行うユーザ装置であって、前記基地局から、前記セカンダリセルに対するアクティブ化指示を受信した後に、当該セカンダリセルにおける上り制御情報の種別を判定する判定部と、前記上り制御情報がチャネル状態情報であると判定された場合に、当該チャネル状態情報を前記プライマリセルで送信し、前記上り制御情報が送達確認情報であると判定された場合に、当該送達確認情報を前記セカンダリセルで送信する送信部とを備えるユーザ装置として構成することができる。この構成により、上り制御情報を送信可能なセカンダリセルを用いる場合でも、セカンダリセルのチャネル状態情報をプライマリセルで送信するので、基地局は当該セカンダリセルのアクティブ化を早期に検出でき、上りスケジューリングを早期に開始することが可能となる。
【０１２２】
前記上り制御情報にチャネル状態情報と送達確認情報が含まれると判定された場合に、前記送信部は、当該チャネル状態情報と当該送達確認情報とを前記プライマリセルで送信することとしてもよい。この構成によれば、チャネル状態情報の送信タイミングで、基地局ｅＮＢは、プライマリセルのみを監視すればよいので、処理を簡易化できる。
【０１２３】
前記上り制御情報にチャネル状態情報と送達確認情報が含まれると判定された場合に、前記送信部は、当該チャネル状態情報と当該送達確認情報とを前記セカンダリセルで送信することとしてもよい。この構成によれば、特にトラフィック量が大きい場合に、セカンダリセル側へのＵＣＩのオフロード効果が高くなる。
【０１２４】
また、ユーザ装置ＵＥを、上り制御情報を送信可能なセカンダリセルと、プライマリセルとを含むキャリアアグリゲーションをサポートする移動通信システムにおいて基地局と通信を行うユーザ装置であって、前記基地局から、前記セカンダリセルに対するアクティブ化指示を受信した場合に、当該セカンダリセルにおける上り制御情報を前記セカンダリセルと前記プライマリセルの両方で送信する送信制御部を備え、前記送信制御部は、前記アクティブ化指示に基づく前記セカンダリセルのアクティブ化が完了した後に、前記プライマリセルでの前記セカンダリセルにおける上り制御情報の送信を停止するユーザ装置として構成することもできる。
【０１２５】
この構成により、上り制御情報を送信可能なセカンダリセルを用いる場合でも、セカンダリセルのチャネル状態情報をプライマリセルで送信するので、基地局は当該セカンダリセルのアクティブ化を早期に検出でき、上りスケジューリングを早期に開始することが可能となる。
【０１２６】
＜第２の実施の形態に係る装置構成例＞
図２２に、第２の実施の形態に係るユーザ装置ＵＥの機能構成図を示す。図２２に示すように、ユーザ装置ＵＥは、ＵＬ信号送信部３０１、ＤＬ信号受信部３０２、ＲＲＣ管理部３０３、ＲＡ手順制御部３０４を含む。図２２は、ユーザ装置ＵＥにおいて第２の実施の形態に特に関連する機能部のみを示すものであり、少なくともＬＴＥに準拠した動作を行うための図示しない機能も有するものである。また、図２２に示す機能構成は一例に過ぎない。本実施の形態に係る動作を実行できるのであれば、機能区分や機能部の名称はどのようなものでもよい。
【０１２７】
図２２の構成において、ＵＬ信号送信部３０１、ＤＬ信号受信部３０２、ＲＲＣ管理部３０３は、それぞれ既に説明したＵＬ信号送信部１０１、ＤＬ信号受信部１０２、ＲＲＣ管理部１０３と同様の機能を有する。ＲＡ手順制御部３０４は、第２の実施の形態において説明したように、ＲＡ手順のトリガを検知し、ＲＡ手順の実行をＵＬ信号送信部３０１とＤＬ信号受信部３０２に指示する機能を含む。
【０１２８】
図２２に示したユーザ装置ＵＥの動作例を図２３のフローチャートを参照して説明する。ＲＲＣ管理部３０３によるＳＣｅｌｌ追加設定は既になされているとする。ユーザ装置ＵＥのＤＬ信号受信部３０２が、ＳＣｅｌｌのアクティブ化コマンドを受信した（ステップ９０１）後、ＲＡ手順制御部３０４は、当該ＳＣｅｌｌのアクティブ化コマンドが、非アクティブ状態のＳＣｅｌｌをアクティブ状態にするものかどうかを判断する、つまり、当該アクティブ化コマンドを受信した時点で、当該ＳＣｅｌｌが非アクティブ状態か否かを判断する（ステップ９０２）。
【０１２９】
コマンドが、非アクティブ状態のＳＣｅｌｌをアクティブ状態にするものである場合、ＲＡ手順制御部３０４は、例えばＳＣｅｌｌの実際のアクティブ化を検知したことをトリガとして、ＵＬ信号送信部３０１とＤＬ信号受信部３０２にＲＡ手順の実行を指示し、ＲＡ手順を実行させる（ステップ９０３）。
【０１３０】
上記の動作は一例である。ユーザ装置ＵＥは、第２の実施の形態で説明した全ての動作を実行できる機能を備える。
【０１３１】
例えば、ユーザ装置ＵＥは、上り制御情報を送信可能なセカンダリセルと、プライマリセルとを含むキャリアアグリゲーションをサポートする移動通信システムにおいて基地局と通信を行うユーザ装置であって、前記基地局から、前記セカンダリセルに対するアクティブ化指示を受信し、更に、個別プリアンブルを含むランダムアクセス指示（例：ＭＡＣ  ＣＥ、ＣＣＳを利用したＰＤＣＣＨ  ｏｒｄｅｒ）を受信した場合に、当該個別プリアンブルを用いて当該セカンダリセルで非衝突型ランダムアクセス手順を実行するランダムアクセス手順制御部と、前記非衝突型ランダムアクセス手順が完了した後に、前記セカンダリセルにおける上り制御情報を当該セカンダリセルで前記基地局に送信する送信部とを備えるユーザ装置として構成することができる。
【０１３２】
この構成により、基地局がセカンダリセルのアクティブ化を検出することを待たずに、上り同期を確立できるので、基地局は、上りスケジューリングを早期に開始することが可能となる。
【０１３３】
また、前記ランダムアクセス手順制御部が衝突型ランダムアクセス手順を自律で実行する形態では、前記アクティブ化指示によりアクティブ化を指示された前記セカンダリセルが、前記アクティブ化指示を受信した時点でアクティブ状態にある場合、前記ランダムアクセス手順制御部は、衝突型ランダムアクセス手順を実行しないこととしてもよい。この構成により、不要な手順を削減でき、シグナリング量を削減できる。
【０１３４】
また、前記ランダムアクセス手順制御部が衝突型ランダムアクセス手順を自律で実行する形態では、前記セカンダリセルが属するｓＴＡＧに対してＴＡタイマが起動中である場合、前記ランダムアクセス手順制御部は、衝突型ランダムアクセス手順を実行しないこととしてもよい。この構成により、不要な手順を削減でき、シグナリング量を削減できる。
【０１３５】
＜第３の実施の形態に係る装置構成例＞
図２４に、第３の実施の形態に係るユーザ装置ＵＥの機能構成図を示す。図２４に示すように、ユーザ装置ＵＥは、ＵＬ信号送信部４０１、ＤＬ信号受信部４０２、ＲＲＣ管理部４０３、ＵＬ送信制御部３０４を含む。図２４は、ユーザ装置ＵＥにおいて第３の実施の形態に特に関連する機能部のみを示すものであり、少なくともＬＴＥに準拠した動作を行うための図示しない機能も有するものである。また、図２４に示す機能構成は一例に過ぎない。本実施の形態に係る動作を実行できるのであれば、機能区分や機能部の名称はどのようなものでもよい。
【０１３６】
図２４の構成において、ＵＬ信号送信部４０１、ＤＬ信号受信部４０２、ＲＲＣ管理部４０３は、それぞれ既に説明したＵＬ信号送信部１０１、ＤＬ信号受信部１０２、ＲＲＣ管理部１０３と同様の機能を有する。ＵＬ送信制御部４０４は、第３の実施の形態において説明したように、特定の条件の下で、ＴＡタイマ起動のトリガを検知した場合に、ＴＡタイマを起動し、ＲＡ手順を実行することなく、ＵＬ信号の送信をＵＬ信号送信部４０１に指示する機能を含む。
【０１３７】
図２４に示したユーザ装置ＵＥの動作例を図２５のフローチャートを参照して説明する。ＲＲＣ管理部４０３によるＳＣｅｌｌ追加設定は既になされているとする。ユーザ装置ＵＥのＤＬ信号受信部４０２が、ＳＣｅｌｌのアクティブ化コマンドを受信した（ステップ１００１）後、ＵＬ送信制御部４０４は、ユーザ装置ＵＥが特定の条件に該当しているかを判定する（ステップ１００２）。特定の条件とは、例えば、基地局ｅＮＢからＲＲＣ信号等にて、当該追加したＳＣｅｌｌでは、ＲＡ手順を実行することなくＴＡタイマを起動する動作を行うことを指示する命令（ＴＡタイマ自律起動指示）を受信している、或いは該当するｓＴＡＧに対してＴＡ  ｃｏｍｍａｎｄ  ＭＡＣ  ＣＥを受信していることである。尚、ＴＡ  ｃｏｍｍａｎｄ  ＭＡＣ  ＣＥによる制御時には、所定の値がＴＡ値として指示されている場合に限定されていてもよい。
【０１３８】
ＵＬ送信制御部４０４は、特定の条件に該当すると判断した場合は、ＴＡタイマ起動のトリガ（例：ＳＣｅｌｌのアクティブ化完了）を検知すると、ＴＡタイマを起動し、ＵＬ信号の送信を開始する（ステップ１００３）。ＵＬ送信制御部４０４は、特定の条件に該当しないと判断した場合は、ＲＡ手順を実行する（ステップ１００４）。
【０１３９】
上記の動作は一例である。ユーザ装置ＵＥは、第３の実施の形態で説明した全ての動作を実行できる機能を備える。
【０１４０】
例えば、ユーザ装置ＵＥは、上り制御情報を送信可能なセカンダリセルと、プライマリセルとを含むキャリアアグリゲーションをサポートする移動通信システムにおいて基地局と通信を行うユーザ装置であって、前記ユーザ装置に設定された前記セカンダリセルがｓＴＡＧに属する場合に、前記基地局から当該セカンダリセルに対するアクティブ化指示を受信した後、ランダムアクセス手順を実行することなく、前記ｓＴＡＧに対するＴＡタイマを起動する上り送信制御部と、前記ＴＡタイマの起動中に、前記セカンダリセルにおける上り制御情報を当該セカンダリセルで送信する送信部とを備えるユーザ装置として構成することができる。
【０１４１】
この構成により、ランダムアクセス手順を実行することなく、上り制御情報をセカンダリセルで送信できるので、基地局は当該セカンダリセルのアクティブ化を早期に検出でき、上りスケジューリングを早期に開始することが可能となる。
【０１４２】
前記ユーザ装置が前記基地局からＴＡタイマ自律起動の指示を受信している場合に、前記上り送信制御部は、前記ランダムアクセス手順を実行することなく、前記ＴＡタイマの起動を行うこととしてもよい。この構成により、ユーザ装置ＵＥは、ランダムアクセス手順を実行するか否かを適切に判断できる。
【０１４３】
本発明の実施の形態で説明したユーザ装置ＵＥは、ＣＰＵとメモリを備え、プログラムがＣＰＵ（プロセッサ）により実行されることで実現される構成であってもよいし、実施の形態で説明する処理のロジックを備えたハードウェア回路等のハードウェアで実現される構成であってもよいし、プログラムとハードウェアが混在していてもよい。
【０１４４】
本発明の実施の形態で説明した基地局ｅＮＢは、ＣＰＵとメモリを備え、プログラムがＣＰＵ（プロセッサ）により実行されることで実現される構成であってもよいし、実施の形態で説明する処理のロジックを備えたハードウェア回路等のハードウェアで実現される構成であってもよいし、プログラムとハードウェアが混在していてもよい。
【０１４５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１４６】
ＵＥ  ユーザ装置
ｅＮＢ  基地局
１０１、３０１、４０１  ＵＬ信号送信部
１０２、３０２、４０２  ＤＬ信号受信部
１０３、３０３、４０３  ＲＲＣ管理部
１０４  ＵＣＩ送信制御部
２０１  ＤＬ信号送信部
２０２  ＵＬ信号受信部
２０３  ＲＲＣ管理部
２０４  スケジューリング部
３０４  ＲＡ手順制御部
４０４  ＵＬ送信制御部
【図１】
2016149732.tif 000003
【図２】
2016149732.tif 000004
【図３】
2016149732.tif 000005
【図４】
2016149732.tif 000006
【図５】
2016149732.tif 000007
【図６】
2016149732.tif 000008
【図７】
2016149732.tif 000009
【図８】
2016149732.tif 000010
【図９】
2016149732.tif 000011
【図１０】
2016149732.tif 000012
【図１１】
2016149732.tif 000013
【図１２】
2016149732.tif 000014
【図１３】
2016149732.tif 000015
【図１４】
2016149732.tif 000016
【図１５】
2016149732.tif 000017
【図１６】
2016149732.tif 000018
【図１７】
2016149732.tif 000019
【図１８】
2016149732.tif 000020
【図１９】
2016149732.tif 000021
【図２０】
2016149732.tif 000022
【図２１】
2016149732.tif 000023
【図２２】
2016149732.tif 000024
【図２３】
2016149732.tif 000025
【図２４】
2016149732.tif 000026
【図２５】
2016149732.tif 000027